(57)【要約】【課題】音声認識可能な発信先の名前、および発信先電話番号の情報を簡単に電話機に登録するための電話番号登録システムを提供する。【解決手段】コンピュータ５０は発信先の名前についての音声信号のデータである音声データとなる発信先データおよび発信先の電話番号の文字データである発信電話番号データからなる登録データが発信先データ毎に格納された記憶装置５１と、登録データ通知信号および記憶装置５１に格納された登録データから所望の登録データを電話回線１１を介して外部に送信する制御装置５２とを備え、電話機１０は登録データを格納するための記憶部と、コンピュータ５０から電話回線１１を介して登録データ通知信号および所望の登録データを順に受信すると受信した登録データを記憶部に格納する制御部１５とを備える。【選択図】　図１
2004023393.tif 000002
【特許請求の範囲】
【請求項１】
電話の相手側となる発信先の名前についての音声信号のデータである音声データとなる発信先データおよび該発信先データに対応する電話番号の文字データである発信電話番号データからなる登録データが前記発信先データ毎に格納された記憶装置と、前記登録データを送信する旨を通知する信号である登録データ通知信号および前記記憶装置に格納された登録データから所望の登録データを電話回線を介して外部に送信する制御装置と、を備えたコンピュータと、
前記登録データを格納するための記憶部と、前記コンピュータから電話回線を介して前記登録データ通知信号および前記所望の登録データを順に受信すると受信した登録データを前記記憶部に格納し、入力される音声を音声データに変換して求められた音声データに一致する発信先データを記憶部から検索し、検索された発信先データに対応する発信先電話番号データを前記記憶部より読み出し、読み出された発信先電話番号データの電話番号に発信する制御部と、を備えた電話機と、
を有することを特徴とする電話番号登録システム。
【請求項２】
電話の相手側となる発信先の名前についての音声信号のデータである音声データとなる発信先データ、および該発信先データに対応する電話番号の文字データである発信電話番号データからなる登録データを格納するための記憶部と、
前記登録データを受信する場合には、前記登録データを送信する旨を通知する信号である登録データ通知信号、および前記登録データを電話回線を介して外部から順に受信すると、受信した登録データを前記記憶部に格納し、入力される音声を音声データに変換し、求められた音声データに一致する発信先データを記憶部から検索し、検索された発信先データに対応する発信先電話番号データを前記記憶部より読み出し、読み出された発信先電話番号データの電話番号に発信し、前記登録データを送信する場合には、前記登録データ通知信号、および前記記憶部に格納された登録データから所望の登録データを電話回線を介して外部に送信する制御部と、
を有することを特徴とする電話機。
【請求項３】
請求項２記載の電話機であって、
制御部に接続された、音声データを出力するためのスピーカを備え、
前記制御部は、所望の登録データを記憶部から読み出して、読み出された登録データの発信先電話番号データを音声データに変換して、読み出された登録データの発信先データとともに前記スピーカに出力させることを特徴とする電話機。
【請求項４】
請求項２または請求項３記載の電話機であって、
制御部に接続された、文字データを出力するための表示部を備え、
前記制御部は、所望の登録データを記憶部から読み出して、読み出された登録データの発信先データを文字データに変換して、読み出された登録データの発信先電話番号データとともに前記表示部に表示させることを特徴とする電話機。
【請求項５】
請求項２ないし請求項４のいずれか１項記載の電話機であって、
登録データを送信する場合に、制御部は、入力される音声を音声データに変換し、求められた音声データに一致する発信先データを記憶部から検索し、検索された発信先データに対応する登録データを前記記憶部より読み出すことを特徴とする電話機。
【請求項６】
電話番号を問い合わせる者の側に備えた電話機と、該電話機と電話回線を介して接続されたコンピュータとを有する電話番号登録システムを用いて、前記電話機に電話番号を登録するための電話番号登録方法であって、
前記コンピュータは、電話の相手側となる発信先の名前についての音声信号のデータである音声データとなる発信先データおよび該発信先データに対応する電話番号の文字データである発信電話番号データからなる登録データが前記発信先データ毎に格納された記憶装置を設け、前記登録データを送信する旨を通知する信号である登録データ通知信号および前記記憶装置に格納された登録データから所望の登録データを順に前記電話機に送信し、
前記電話機は、前記登録データを格納するための記憶部を設け、前記コンピュータから前記登録データ通知信号および前記所望の登録データを順に受信すると、受信した登録データを前記記憶部に格納することを特徴とする電話番号登録方法。
【請求項７】
電話番号の問い合わせを受ける者の側に備えた第１の電話機と、該第１の電話機と電話回線を介して接続された第２の電話機を用いて、該第２の電話機に電話番号を登録するための電話番号登録方法であって、
前記第１の電話機は、電話の相手側となる発信先の名前についての音声信号のデータである音声データとなる発信先データおよび該発信先データに対応する電話番号の文字データである発信電話番号データからなる登録データが前記発信先データ毎に格納された第１の記憶部を設け、前記登録データを送信する旨を通知する信号である登録データ通知信号および前記記憶部に格納された前記登録データから所望の登録データを前記第２の電話機に順に送信し、
前記第２の電話機は、前記登録データを格納するための第２の記憶部を設け、前記第１の電話機から前記登録データ通知信号および前記所望の登録データを順に受信すると、受信した登録データを前記第２の記憶部に格納することを特徴とする電話番号登録方法。
【発明の詳細な説明】
【０００１】
【発明の属する技術分野】
本発明は、通常の固定電話機、または携帯電話機において、電話の相手側となる発信先の名前を電話機に発声するだけで発信先の電話番号である発信先電話番号に発信することができる音声認識機能付きの電話機、この電話機に電話番号を登録するための電話番号登録システム、および電話番号登録方法に関する。
【０００２】
【従来の技術】
従来、音声認識機能付きの電話機では、その操作者が、音声認識させたい発信先の店舗や人の名前と、発信先電話番号とを対応づけて電話機に登録しなければならなかった。この登録方法の一つとして、特開平１１−３０８３１５号公報に開示されたものがある。この特開平１１−３０８３１５号公報では、電話番号案内サービスによる案内の通話中の音声から電話番号のみを音声認識手段により抽出して発信先電話番号として登録する方法が開示されている。
【０００３】
【発明が解決しようとする課題】
しかしながら、従来の技術では次のような問題点がある。
【０００４】
第１の問題点は、電話番号は音声認識手段により認識されて登録されるが、発信先の名前については、操作者が電話機を操作し、発信先の名前を電話機に発声して登録しなければならず手間がかかることである。
【０００５】
第２の問題点は、音声認識手段が電話番号を抽出する際に誤認識するおそれがあるため、操作者は間違った電話番号が登録されていないかを確認する必要があり、音声認識手段が誤認識していると、操作者が電話機を操作して正しい電話番号に修正しなければならないことである。
【０００６】
本発明は上記したような従来の技術が有する問題点を解決するためになされたものであり、音声認識可能な発信先の名前、および発信先電話番号の情報を簡単に登録できる電話機、この電話機に電話番号を登録するための電話番号登録システム、および電話番号登録方法を提供することを目的とする。
【０００７】
【課題を解決するための手段】
上記目的を達成するための本発明の電話番号登録システムは、電話の相手側となる発信先の名前についての音声信号のデータである音声データとなる発信先データおよび該発信先データに対応する電話番号の文字データである発信電話番号データからなる登録データが前記発信先データ毎に格納された記憶装置と、前記登録データを送信する旨を通知する信号である登録データ通知信号および前記記憶装置に格納された登録データから所望の登録データを電話回線を介して外部に送信する制御装置と、を備えたコンピュータと、
前記登録データを格納するための記憶部と、前記コンピュータから電話回線を介して前記登録データ通知信号および前記所望の登録データを順に受信すると受信した登録データを前記記憶部に格納し、入力される音声を音声データに変換して求められた音声データに一致する発信先データを記憶部から検索し、検索された発信先データに対応する発信先電話番号データを前記記憶部より読み出し、読み出された発信先電話番号データの電話番号に発信する制御部と、を備えた電話機と、
を有する構成である。
【０００８】
上記のように構成される本発明では、登録データ通知信号および所望の登録データがコンピュータから電話機に送信され、登録データ通知信号および所望の登録データが電話機に順に受信されると、登録データ通知信号の後に登録データが受信されると判断されて、受信された登録データが記憶部に格納され、入力される音声データに一致する発信先データが記憶部から検索されると、検索された発信先データに対応する発信先電話番号データの電話番号に発信される。
【０００９】
上記目的を達成するための本発明の電話機は、電話の相手側となる発信先の名前についての音声信号のデータである音声データとなる発信先データ、および該発信先データに対応する電話番号の文字データである発信電話番号データからなる登録データを格納するための記憶部と、
前記登録データを受信する場合には、前記登録データを送信する旨を通知する信号である登録データ通知信号、および前記登録データを電話回線を介して外部から順に受信すると、受信した登録データを前記記憶部に格納し、入力される音声を音声データに変換し、求められた音声データに一致する発信先データを記憶部から検索し、検索された発信先データに対応する発信先電話番号データを前記記憶部より読み出し、読み出された発信先電話番号データの電話番号に発信し、前記登録データを送信する場合には、前記登録データ通知信号、および前記記憶部に格納された登録データから所望の登録データを電話回線を介して外部に送信する制御部と、
を有する構成である。
【００１０】
上記のように構成される本発明では、登録データを受信する場合には、登録データ通知信号および登録データが電話機に順に受信されると、登録データ通知信号の後に登録データが受信されると判断されて、受信された登録データが記憶部に格納され、入力される音声データに一致する発信先データが記憶部から検索されると、検索された発信先データに対応する発信先電話番号データの電話番号に発信され、登録データを送信する場合には、登録データ通知信号、および記憶部に格納された登録データから所望の登録データが電話回線を介して外部に送信される。
【００１１】
この場合、制御部に接続された、音声データを出力するためのスピーカを備え、
前記制御部は、所望の登録データを記憶部から読み出して、読み出された登録データの発信先電話番号データを音声データに変換して、読み出された登録データの発信先データとともに前記スピーカに出力させることとしてもよい。
【００１２】
上記のように構成される本発明では、所望の登録データが記憶部から読み出されると、読み出された登録データの発信先電話番号データが音声データに変換され、発信先の電話番号が発信先の名前とともにスピーカから音声で出力される。
【００１３】
また、上記本発明の電話機であって、制御部に接続された、文字データを出力するための表示部を備え、
前記制御部は、所望の登録データを記憶部から読み出して、読み出された登録データの発信先データを文字データに変換して、読み出された登録データの発信先電話番号データとともに前記表示部に表示させることとしてもよい。
【００１４】
上記のように構成される本発明では、所望の登録データが記憶部から読み出されると、読み出された登録データの発信先データが文字データに変換され、発信先の名前が発信先の電話番号とともに表示部に文字で表示される。
【００１５】
さらに、上記本発明の電話機であって、登録データを送信する場合に、制御部は、入力される音声を音声データに変換し、求められた音声データに一致する発信先データを記憶部から検索し、検索された発信先データに対応する登録データを前記記憶部より読み出すこととしてもよい。
【００１６】
上記のように構成される本発明では、入力される音声が音声データに変換され、求められた音声データに一致する発信先データが記憶部から検索され、検索された発信先データに対応する登録データが記憶部より読み出されると、登録データ通知信号、および読み出された登録データが電話回線を介して外部に送信される。
【００１７】
一方、上記目的を達成するための本発明の電話番号登録方法は、電話番号を問い合わせる者の側に備えた電話機と、該電話機と電話回線を介して接続されたコンピュータとを有する電話番号登録システムを用いて、前記電話機に電話番号を登録するための電話番号登録方法であって、
前記コンピュータは、電話の相手側となる発信先の名前についての音声信号のデータである音声データとなる発信先データおよび該発信先データに対応する電話番号の文字データである発信電話番号データからなる登録データが前記発信先データ毎に格納された記憶装置を設け、前記登録データを送信する旨を通知する信号である登録データ通知信号および前記記憶装置に格納された登録データから所望の登録データを順に前記電話機に送信し、
前記電話機は、前記登録データを格納するための記憶部を設け、前記コンピュータから前記登録データ通知信号および前記所望の登録データを順に受信すると、受信した登録データを前記記憶部に格納することを特徴とする。
【００１８】
上記のように構成される本発明では、登録データ通知信号および所望の登録データがコンピュータから電話機に送信され、登録データ通知信号および所望の登録データが電話機に順に受信されると、登録データ通知信号受信後に登録データが受信されると判断されて、受信された登録データが記憶部に格納される。
【００１９】
また、本発明の電話番号登録方法は、電話番号の問い合わせを受ける者の側に備えた第１の電話機と、該第１の電話機と電話回線を介して接続された第２の電話機を用いて、該第２の電話機に電話番号を登録するための電話番号登録方法であって、
前記第１の電話機は、電話の相手側となる発信先の名前についての音声信号のデータである音声データとなる発信先データおよび該発信先データに対応する電話番号の文字データである発信電話番号データからなる登録データが前記発信先データ毎に格納された第１の記憶部を設け、前記登録データを送信する旨を通知する信号である登録データ通知信号および前記記憶部に格納された前記登録データから所望の登録データを前記第２の電話機に順に送信し、
前記第２の電話機は、前記登録データを格納するための第２の記憶部を設け、前記第１の電話機から前記登録データ通知信号および前記所望の登録データを順に受信すると、受信した登録データを前記第２の記憶部に格納することを特徴とする。
【００２０】
上記のように構成される本発明では、登録データ通知信号および所望の登録データが第１の電話機から第２の電話機に送信され、登録データ通知信号および登録データが第２の電話機に順に受信されると、登録データ通知信号受信後に登録データが受信されると判断されて、受信された登録データが第２の記憶部に格納される。
【００２１】
【発明の実施の形態】
本発明の電話番号登録システムは、電話番号案内サービスへの電話番号の問い合わせに対して、問い合わせ対象となる発信先の電話番号が文字データで電話機に送信され、発信先の名前が音声信号のデータである音声データで電話機に送信されることを特徴とする。
【００２２】
（第１実施例）
本発明の第１実施例の電話番号登録システムについて説明する。
【００２３】
図１は、本発明の電話番号登録システムの一実施例の構成を示すブロック図である。
【００２４】
図１に示すように、電話番号登録システムは、電話番号を問い合わせる者の側に備えた電話機１０、および、電話機１０と電話回線１１を介して接続された、電話番号案内サービス会社側に備えたコンピュータ５０を有する構成である。
【００２５】
コンピュータ５０は、電話機１０の操作者による問い合わせの対象となる発信先の名前および電話番号などの情報が格納された記憶装置５１と、上記問い合わせに対して記憶装置５１に格納されたデータを検索して検索結果の情報を電話機１０に送信する制御装置５２と、コンピュータ５０を操作するサービスオペレータが指示を入力するための操作部５３と、操作部５３からの指示内容や記憶装置５１に格納された情報を表示するための表示部５４とを有する構成である。
【００２６】
記憶装置５１には、発信先の名前についての音声データである発信先データ、および発信先データに対応する発信先の電話番号の文字データである発信先電話番号データからなる登録データと、発信先データに対応する発信先の名前および住所についての文字データが発信先データ毎に格納されている。なお、音声データは、例えば、音声信号をＰＣＭ（Ｐｕｌｓｅ　Ｃｏｄｅ　Ｍｏｄｕｌａｔｉｏｎ：パルス符号変調）によりデジタル化したデータである。
【００２７】
制御装置５２は、電話番号の問い合わせのあった電話機１０に対して、検索結果による情報から電話番号を音声合成により音声データで送信した後、上記登録データを送信する旨を通知する信号である登録データ通知信号を送信し、続いて、問い合わせの電話番号に対応する登録データを送信する。
【００２８】
電話機１０は、電話の相手側となる発信先の上記発信先データを格納するための発信先記憶部１３と、音声入力手段となるマイク１８から取り込まれる音声を音声データに変換する音声認識部１２と、発信先電話番号データを格納するための電話番号記憶部１４と、文字データを音声に変換する音声合成部２１と、発信先電話番号データの電話番号に発信する電話番号発信部２０と、受信するデータを表示部２２や音声出力手段となるスピーカ１９に出力させ、受信するデータを発信先記憶部１３または電話番号記憶部１４に格納する制御部１５と、操作者が電話番号や指示を入力するための操作部２３とを有する構成である。
【００２９】
制御部１５は、上記登録データ通知信号をコンピュータ５０から受信すると、登録データ通知信号を受信した後、受信する登録データから発信先データを発信先記憶部１３に格納するとともに、発信先電話番号データを発信先データに対応付けて電話番号記憶部１４に格納する。また、図に示さない記憶手段に格納された制御プログラムにしたがって、音声認識部１２、音声合成部２１、電話番号発信部２０、表示部２２およびスピーカ１９を制御する。
【００３０】
なお、発信先データは音声データであるが、制御部１５は登録データ通知信号により、登録データ通知信号受信後に登録データが送られてくると判断し、受信する登録データの発信先データをスピーカ１９に出力させることがない。
【００３１】
音声認識部１２は、発信のための音声信号入力状態で、マイク１８から音声が取り込まれると、取り込まれた音声を音声データに変換し、求められた音声データと一致する音声データを示す発信先データを発信先記憶部１３に格納されている発信先データから検索する。検索により、求められた音声データに一致する発信先データを確認すると、発信先データに対応する発信先電話番号データを読み出す。また、所望の発信先データを表示部２２に表示させる旨の指示が入力されると、発信先データを文字データに変換する。
【００３２】
次に、上記構成の電話番号登録システムにより、電話番号案内サービスからの案内による電話番号を登録するための動作手順を説明する。
【００３３】
操作者が電話機１０の操作部２３を操作して電話番号案内サービス会社に電話をかけ、電話番号の問い合わせ対象となる相手先の名前および住所をサービスオペレータに告げると、サービスオペレータはコンピュータ５０の操作部５３を操作して、名前および住所を検索条件としてコンピュータ５０に入力する。
【００３４】
コンピュータ５０の制御装置５２は検索条件が入力されると、検索条件に一致する名前および住所を記憶装置５１内で検索し、検索条件に一致する名前および住所の情報とともに格納された登録データがあることを確認すると、検索条件に一致する登録データがある旨のメッセージを表示部５４に表示させる。
【００３５】
サービスオペレータは、表示部５４に表示された内容から検索条件に一致する登録データがあることを認識すると、コンピュータ５０の操作部５３を操作して検索結果の情報を電話機１０に送信する旨の指示を入力する。
【００３６】
制御装置５２は検索結果を送信する旨の指示が入力されると、検索条件に一致する登録データについて、音声合成による発信先電話番号データの音声データ、上記登録データ通知信号および登録データを順に電話機１０に送信する。
【００３７】
次に、上記コンピュータ５０から情報を受信する電話機１０の制御部１５の動作手順について説明する。
【００３８】
図２は電話機１０の制御部１５による電話番号登録の動作手順を示すフローチャートである。
【００３９】
電話機１０の制御部１５はコンピュータ５０と通信可能に接続されると、コンピュータ５０から受信するデータが音声データであるか音声以外のデータであるかを監視し（Ｓ１０１）、受信するデータが音声データであればスピーカ１９に音声で出力させる。
【００４０】
ステップＳ１０１で、受信するデータが音声データ以外の登録データ通知信号であれば、受信するデータが登録データであるか否かを判断し（Ｓ１０２）、登録データでなければエラーとして処理し（Ｓ１０３）、コンピュータ５０との通信接続を切る。
【００４１】
ステップＳ１０２で、コンピュータ５０から送信されたデータが登録データであると、制御部１５は登録データを受信し（Ｓ１０４）、受信した登録データから発信先データと発信先電話番号データを分割して（Ｓ１０５）、発信先データを発信先記憶部１３に格納するとともに、発信先データに対応付けて発信先電話番号データを電話番号記憶部１４に格納する（Ｓ１０６）。
【００４２】
なお、登録データの電話機１０への送信は電話番号の音声データによる通知より先であってもよい。音声データより先に登録データを送信する場合には、コンピュータ５０の制御装置５２は、登録データ送信前に登録データ通知信号を電話機１０に送信するだけでなく、登録データ送信後に登録データ送信終了信号を電話機１０に送信する。電話機１０の制御部１５は登録データ終了信号を受信すると、その後に受信する音声データをスピーカ１９に出力させる。
【００４３】
また、操作者が格納された登録データの内容を音声で確認するために操作部２３を操作して所望の登録データをスピーカ１９に出力させる旨の指示を入力すると、制御部１５は所望の登録データを発信先記憶部１３および電話番号記憶部１４から読み出して、読み出された登録データの発信先電話番号データを音声合成部２１に送出して音声データに変換させて、発信先データとともにスピーカ１９に出力させる。
【００４４】
また、操作者が格納された登録データの内容を文字で確認するために操作部２３を操作して所望の登録データを表示部２２に表示させる旨の指示を入力すると、制御部１５は所望の登録データを発信先記憶部１３および電話番号記憶部１４から読み出して、読み出された登録データの発信先データを音声認識部１２に送出して文字データに変換させて、発信先電話番号データとともに表示部２２に表示させる。
【００４５】
さらに、登録データが格納されたことをスピーカ１９からの音声や表示部２２による表示で操作者に通知するようにしてもよく、呼び出し音やバイブレーションによる方法で操作者に通知するようにしてもよい。
【００４６】
次に、上記電話機１０に登録した電話番号に電話をかける動作手順を説明する。
【００４７】
操作者が操作部２３を操作して発信のための音声信号入力状態にして、マイク１８に発信先の名前を発声する。マイク１８から発信先の名前についての音声が取り込まれると、音声認識部１２は取り込まれた音声を音声データに変換し、求められた音声データと一致する音声データを示す発信先データを発信先記憶部１３に格納されている発信先データから検索する。検索により、求められた音声データに一致する発信先データを確認すると、発信先データに対応する発信先電話番号データを読み出して制御部１５に送出する。
【００４８】
制御部１５は発信先電話番号データを受け取ると、発信先電話番号データを電話番号発信部２０に送出する。電話番号発信部２０は発信先電話番号データを受け取ると、受け取った発信先電話番号データが示す電話番号に発信する。
【００４９】
上述したように、本実施例では、電話番号案内サービス会社側のコンピュータ５０から電話回線１１を介して、問い合わせの電話番号を通知する音声データ、発信先データおよび発信先電話番号データが電話機１０に送信される。問い合わせの電話番号を通知する音声データが電話機１０に受信されると、スピーカ１９から電話番号を通知する音声が出力される。登録データ通知信号が電話機１０に受信されると、その後に登録データが送られてくると判断されるため、登録データが受信されると登録データから発信先データが発信先記憶部１３に格納され、発信先データに対応付けて発信先電話番号データが電話番号記憶部１４に格納される。
【００５０】
本実施例では、音声データで発信先の名前が電話機１０に登録されるため、操作者が電話機１０に発声して登録する手間が省けるだけでなく、電話をかけるときに発信先の名前を発声することにより発信できる。
【００５１】
また、問い合わせた電話番号が文字データで電話機１０に格納されるため、電話番号を音声で聞いて書き取るための紙や筆記具を必要としないだけでなく、音声認識により電話番号を抽出する場合に比べて電話番号がより正確に登録される。そのため、操作者が電話番号の登録に間違いがないかを確認しなくてもよい。
【００５２】
（第２実施例）
上記第１実施例では、電話番号案内サービス会社から所望の登録データを電話機１０に送信するものであったが、本実施例では、二台の電話機１０の一方から他方に登録データを送信することを特徴とする。
【００５３】
本実施例における電話機の構成について説明する。なお、本実施例における電話機の構成は上記第１実施例の電話機１０と同様な構成であるため、詳細な説明については省略する。
【００５４】
音声認識部１２は、検索のための音声信号入力状態で、マイク１８から音声が取り込まれると、取り込まれた音声を音声データに変換して、求められた音声データと一致する音声データを示す発信先データを発信先記憶部１３に格納されている発信先データから検索する。検索により、求められた音声データに一致する発信先データを確認すると、発信先データに対応する登録データを読み出して制御部１５に送出する。
【００５５】
制御部１５は音声認識部１２から登録データを受け取ると、受け取った登録データを電話回線１１を介して外部に送信する。
【００５６】
次に、二台の電話機１０のうち一方の電話機である第１の電話機から他方の電話機である第２の電話機に登録データを送信する場合について説明する。なお、以下では、第１の電話機を電話機１０ａ、第２の電話機を電話機１０ｂとし、さらに、各電話機における構成の符号についても同様に表示する。また、予め、電話機１０ａの発信元記憶部１３ａおよび電話番号記憶部１４ａに、電話機１０ｂの操作者からの問い合わせ対象となる発信先に対応する登録データが格納されているものとする。
【００５７】
電話機１０ａが電話回線１１を介して電話機１０ｂと通信可能に接続された後、電話機１０ａの操作者は、電話機１０ｂの操作者から電話番号の問い合わせ対象となる発信先の名前を聞くと、操作部２３ａを操作して通話を保留状態にして、検索のための音声信号入力状態にする。
【００５８】
電話機１０ａの操作者が問い合わせ対象の発信先の名前をマイク１８ａに発声すると、音声認識部１２ａはマイク１８ａから取り込まれた音声を音声データに変換し、求められた音声データを検索条件として検索条件と一致する発信先データを発信先記憶部１３ａから読み出して、読み出された発信先データに対応する登録データを制御部１５ａに送出する。制御部１５ａは登録データを受け取ると、登録データ通知信号と登録データを電話機１０ｂに順に送信する。
【００５９】
電話機１０ｂの制御部１５ｂは登録データ通知信号および登録データを電話機１０ａから順に受信すると、受信した登録データから発信先データおよび発信先電話番号データを読み出して、発信先データを発信記憶部１３ｂに格納するとともに、発信先電話番号データを電話番号記憶部１４ｂに格納する。
【００６０】
なお、電話機１０ａの操作者は、登録データを電話機１０ａに送信させた後、通話の保留状態を解除することで、電話機１０ｂの操作者と再び通話可能となる。
【００６１】
上述のようにして、本実施例では、他の電話機１０ａから電話回線１１を介して、問い合わせ対象の発信先データおよび発信先電話番号データが電話機１０ｂに送信されて格納される。
【００６２】
本実施例では、電話機同士で登録データを送受信できるため、一方の電話機１０ａに格納された登録データを他の電話機１０ｂに送信できる。
【００６３】
なお、上記いずれの実施例においても、電話機１０は固定電話機でも携帯電話機でもよい。
【００６４】
また、電話機１０の制御部１５が、音声認識部１２、音声合成部２１および電話番号発信部２０の機能を備えるようにしてもよい。
【００６５】
さらに、発信先記憶部１３と電話番号記憶部１４は別々の構成に限らず、一つの記憶部であってもよい。
【００６６】
【発明の効果】
本発明は以上説明したように構成されているので、以下に記載する効果を奏する。
【００６７】
本発明では、電話番号の問い合わせ対象となる発信先の名前の音声データである発信先データ、および発信先データに対応する電話番号の文字データである発信先電話番号データが電話回線を介して電話機に受信され格納される。
【００６８】
そのため、発信先の名前について操作者が電話機に発声して登録する手間が省けるだけでなく、操作者が電話をかけるときに発信先の名前を発声することで音声認識されると発信先の電話番号に発信できる。
【００６９】
また、問い合わせた電話番号が文字データで電話機に格納されるので、電話番号を音声で聞いて書き取るための紙や筆記具を必要としないだけでなく、音声認識により電話番号を抽出する場合に比べて電話番号がより正確に登録され、操作者が電話番号の登録に間違いがないかを確認しなくてもよい。
【図面の簡単な説明】
【図１】本発明の電話番号登録システムの一実施例の構成を示すブロック図である。
【図２】電話機１０の制御部１５による電話番号登録の動作手順を示すフローチャートである。
【符号の説明】
１０、１０ａ、１０ｂ　　電話機
１１　　電話回線
１２　　音声認識部
１３、１３ａ、１３ｂ　　発信先記憶部
１４、１４ａ、１４ｂ　　電話番号記憶部
１５、１５ａ、１５ｂ　　制御部
１８、１８ａ　　マイク
１９　　スピーカ
２０　　電話番号発信部
２１　　音声合成部
２２、５４　　表示部
２３、２３ａ、５３　　操作部
５０　　コンピュータ
５１　　記憶装置
５２　　制御装置
【図１】
2004023393.tif 000003
【図２】
2004023393.tif 000004